(57)【要約】【課題】  ユーザに手間をかけさせること無く、覗き見を防止する。【解決手段】  ＡＴＭは、タッチパネルの表示部と、該表示部が表示する表示情報を視認可能な領域を少なくとも撮影する監視カメラを備える。まず、所定時間待機した後（Ｓ１０）、監視カメラが撮影を行い（Ｓ１１）、撮影画像の中から顔画像を検出し（Ｓ１２）、検出した顔画像を計数する（Ｓ１３）。検出した顔画像が１個である場合、覗き見なしと判断して表示を行う（Ｓ１４）。一方、検出した顔画像が複数である場合、覗き見と判断して表示を停止する（Ｓ１５）。【選択図】  図１
2006259930.tif 000002
【特許請求の範囲】
【請求項１】
表示手段を備える表示装置において、
前記表示手段が表示する表示情報を視認可能な領域の少なくとも一部を撮影する撮影手段と、
前記撮影手段が撮影した撮影画像の中から、顔の部分の画像である顔画像を検出する顔画像検出手段と、
該顔画像検出手段が検出した顔画像を計数する顔画像計数手段と、
該顔画像計数手段が計数した顔画像が複数である場合に、前記表示情報の覗き見を防止する動作を行う覗き見防止動作手段とを備えることを特徴とする表示装置。
【請求項２】
前記顔画像検出手段が検出した顔画像の特徴と、予め登録された１または複数の顔画像の特徴との照合を行う顔画像照合手段をさらに備えており、
前記覗き見防止動作手段は、前記顔画像が複数である場合に、前記照合の結果に基づいて、前記表示情報の覗き見を防止する動作を行うことを特徴とする請求項１に記載の表示装置。
【請求項３】
前記覗き見防止動作手段は、前記顔画像が複数である場合であって、前記照合の結果、前記顔画像検出手段が検出した顔画像の特徴が、予め登録された顔画像の特徴の１つと一致する場合に、前記表示情報の覗き見を防止する動作を行うことを特徴とする請求項２に記載の表示装置。
【請求項４】
前記覗き見防止動作手段は、前記顔画像が複数である場合であって、前記照合の結果、前記顔画像検出手段が検出した顔画像の特徴の少なくとも１つが、予め登録された全ての顔画像の特徴と不一致である場合に、前記表示情報の覗き見を防止する動作を行うことを特徴とする請求項２に記載の表示装置。
【請求項５】
前記顔画像計数手段は、前記表示情報を視認可能な領域のうち、前記撮影手段から最も離間した領域に位置する人の顔画像に比べて、寸法の小さい顔画像を計数から除外することを特徴とする請求項１ないし４の何れか１項に記載の表示装置。
【請求項６】
前記顔画像計数手段は、前記撮影画像における所定領域以外の領域にある顔画像を計数から除外することを特徴とする請求項１ないし５の何れか１項に記載の表示装置。
【請求項７】
前記顔画像検出手段は、検出した顔画像における顔の向きをさらに検出しており、
前記顔画像計数手段は、前記表示手段の方向を向いていない顔画像を計数から除外することを特徴とする請求項１ないし６の何れか１項に記載の表示装置。
【請求項８】
請求項１ないし７の何れか１項に記載の表示装置を備えた電子機器。
【請求項９】
表示手段を備える表示装置の制御方法であって、
前記表示手段が表示する表示情報を視認可能な領域の少なくとも一部を撮影する撮影手段を備えており、
前記撮影手段が撮影した撮影画像の中から、顔の部分の画像である顔画像を検出し、
検出した顔画像を計数し、
計数した顔画像が複数である場合に、前記表示情報の覗き見を防止する動作を行うことを特徴とする表示装置の制御方法。
【請求項１０】
請求項１ないし７の何れか１項に記載の表示装置を動作させるための表示装置制御プログラムであって、コンピュータを上記各手段として機能させるための表示装置制御プログラム。
【請求項１１】
請求項１０に記載の表示装置制御プログラムが記録されたコンピュータ読取り可能な記録媒体。
【発明の詳細な説明】
【技術分野】
【０００１】
本発明は、表示手段を備える表示装置およびその制御方法、表示装置を備えた電子機器、表示装置制御プログラム、ならびに該プログラムを記録した記録媒体に関するものである。特に、本発明は、表示手段が表示する表示情報の覗き見を防止できる表示装置などに関するものである。
【背景技術】
【０００２】
従来から、ＡＴＭ（現金自動預入支払機）、ＰＣ（Personal Computer）、携帯電話機などには、情報を表示するＣＲＴ、ＬＣＤなどの表示手段が設けられている。このような表示手段を備える表示装置では、個人情報や機密情報を表示する場合、他人に覗き見されない配慮が必要である。特に、携帯電話機などの携帯型表示装置の場合、周囲に他人が存在する中で利用されることが多く、他人に覗き見される可能性が高い。
【０００３】
この問題点に対し、特許文献１・２には、携帯電話機の表示画面に覗き見防止機能を有する光学フィルムを貼り付ける構成が開示されている。
【特許文献１】特開２００４−２６４７９６号公報（２００４年９月２４日公開）
【特許文献２】登録実用新案第３０５８４７７号公報（１９９９年６月１８日発行）
【発明の開示】
【発明が解決しようとする課題】
【０００４】
しかしながら、上記従来の構成では、覗き見を防止したい場合に光学フィルムを貼り付け、その他の場合に光学フィルムを剥離する必要があり、ユーザに手間を取らせることになる。また、光学フィルムを貼り付けた部分の視認性が低下する問題が生じる。また、覗き見防止機能を有する光学フィルムは、斜め側方から表示画面を見難くするものであるため、ユーザの背後からの覗き見に対しては覗き見防止の効果が低下することになる。また、例えばＡＴＭやＰＣのように、表示画面の寸法が大きいと、光学フィルムの寸法を大きくする必要があり、コストが増大することになる。
【０００５】
本発明は、上記の問題点に鑑みてなされたものであり、その目的は、ユーザに手間をかけさせること無く、覗き見を防止できる表示装置などを提供することにある。
【課題を解決するための手段】
【０００６】
本発明に係る表示装置は、上記課題を解決するため、表示手段を備える表示装置において、前記表示手段が表示する表示情報を視認可能な領域の少なくとも一部を撮影する撮影手段と、前記表示手段が表示する表示情報を見ることが可能な領域を撮影する撮影手段と、前記撮影手段が撮影した撮影画像の中から、顔の部分の画像である顔画像を検出する顔画像検出手段と、該顔画像検出手段が検出した顔画像を計数する顔画像計数手段と、該顔画像計数手段が計数した顔画像が複数である場合に、前記表示情報の覗き見を防止する動作を行う覗き見防止動作手段とを備えることを特徴としている。
【０００７】
ここで、覗き見を防止する動作の例としては、表示手段の表示を停止させること、覗き見されても構わない所定の画像を表示手段の表示画面に表示させること、覗き見されていることを示す画像を表示画面の全体または一部に表示させること、表示手段の視野角を狭くするように制御すること、などが挙げられる。さらに、表示装置がスピーカ、バイブレータなどの報知手段を備える場合には、警告となる音や振動などを報知することが挙げられる。
【０００８】
上記の構成によると、撮影手段が撮影した撮影画像の中から顔画像を検出し、検出した顔画像を計数している。撮影手段は、表示手段が表示する表示情報を視認可能な領域の少なくとも一部を撮影しているから、計数した顔画像が複数である場合には、表示情報を複数人で見ていることになる。これは、第三者により表示情報を覗き見されている可能性が高いと考えられる。そこで、計数した顔画像が複数である場合に、前記表示情報の覗き見を防止する動作を行っている。したがって、本発明では、撮影画像に基づいて自動的に覗き見を防止する動作を行うので、光学フィルムの貼付および剥離を行う必要が無く、ユーザに手間をかけさせることが無い。
【０００９】
本発明に係る表示装置では、前記顔画像検出手段が検出した顔画像の特徴と、予め登録された１または複数の顔画像の特徴との照合を行う顔画像照合手段をさらに備えており、前記覗き見防止動作手段は、前記顔画像が複数である場合に、前記照合の結果に基づいて、前記表示情報の覗き見を防止する動作を行うことが好ましい。
【００１０】
具体的には、前記覗き見防止動作手段は、前記顔画像が複数である場合であって、前記照合の結果、前記顔画像検出手段が検出した顔画像の特徴が、予め登録された顔画像の特徴の１つと一致する場合に、前記表示情報の覗き見を防止する動作を行うことが好ましい。この場合、例えば表示情報を見られたくない人の顔画像を予め登録しておくことにより、表示情報を見られたくない人に表示情報が覗き見されることを防止できる。
【００１１】
また、前記覗き見防止動作手段は、前記顔画像が複数である場合であって、前記照合の結果、前記顔画像検出手段が検出した顔画像の特徴の少なくとも１つが、予め登録された全ての顔画像の特徴と不一致である場合に、前記表示情報の覗き見を防止する動作を行うことが好ましい。この場合、例えば表示情報を一緒に見たい人の顔画像を予め登録しておくことにより、複数人で表示情報を見ることができる一方、その他の人には、表示情報が覗き見されることを防止できる。
【００１２】
本発明に係る表示装置では、前記顔画像計数手段は、前記表示情報を視認可能な領域のうち、前記撮影手段から最も離間した領域に位置する人の顔画像に比べて、寸法の小さい顔画像を計数から除外することが好ましい。この場合、覗き見できないような領域に位置する人が覗き見していると誤判断して覗き見を防止する動作を行うことを回避できる。
【００１３】
本発明に係る表示装置では、前記顔画像計数手段は、前記撮影画像における所定領域以外の領域にある顔画像を計数から除外することが好ましい。ここで、所定領域の例としては、ユーザの斜め後方の領域など、覗き見する可能性の高い領域が挙げられる。この場合、例えば覗き見する可能性の低い領域の顔画像を計数から除外できるので、覗き見を防止する動作を適切に行うことができる。
【００１４】
本発明に係る表示装置では、前記顔画像検出手段は、検出した顔画像における顔の向きをさらに検出しており、前記顔画像計数手段は、前記表示手段の方向を向いていない顔画像を計数から除外することが好ましい。表示手段の方向を向いていない人は、覗き見している可能性が低い。したがって、この場合、覗き見している可能性の低い顔画像を計数から除外できるので、覗き見を防止する動作を適切に行うことができる。
【００１５】
なお、上記構成の表示装置を備えた電子機器でも、上述の作用効果を奏することができる。
【００１６】
本発明に係る表示装置の制御方法は、上記課題を解決するため、表示手段を備える表示装置の制御方法であって、前記表示手段が表示する表示情報を視認可能な領域の少なくとも一部を撮影する撮影手段を備えており、前記撮影手段が撮影した撮影画像の中から、顔の部分の画像である顔画像を検出し、検出した顔画像を計数し、計数した顔画像が複数である場合に、前記表示情報の覗き見を防止する動作を行うことを特徴としている。
【００１７】
上記の方法によると、撮影手段が撮影した撮影画像の中から顔画像を検出し、検出した顔画像を計数している。撮影手段は、表示手段が表示する表示情報を視認可能な領域の少なくとも一部を撮影しているから、計数した顔画像が複数である場合には、表示情報を複数人で見ていることになる。これは、第三者により表示情報を覗き見されている可能性が高いと考えられる。そこで、計数した顔画像が複数である場合に、前記表示情報の覗き見を防止する動作を行っている。したがって、本発明では、撮影画像に基づいて自動的に覗き見を防止する動作を行うので、光学フィルムの貼付および剥離を行う必要が無く、ユーザに手間をかけさせることが無い。
【００１８】
なお、上記表示装置における各手段を、表示装置制御プログラムによりコンピュータ上で実行させることができる。さらに、上記表示装置制御プログラムをコンピュータ読取り可能な記録媒体に記憶させることにより、任意のコンピュータ上で上記表示装置制御プログラムを実行させることができる。
【発明の効果】
【００１９】
以上のように、本発明に係る表示装置は、撮影画像の中から顔画像を検出し、検出した顔画像が複数である場合には、表示情報を覗き見されていると判断して、前記表示情報の覗き見を防止する動作を行うので、覗き見防止機能を有する光学フィルムの貼付および剥離を行う必要が無く、ユーザに手間をかけさせることが無いという効果を奏する。
【発明を実施するための最良の形態】
【００２０】
〔実施の形態１〕
本発明の一実施形態について図１〜図６に基づいて説明すれば、以下のとおりである。図２は、本実施形態であるＡＴＭの外観を示している。図示のように、ＡＴＭ（表示装置、電子機器）１０には、ユーザが利用する側の適所に、カード出入口１１、通帳出入口１２、現金出入口１３、タッチパネル１４、およびスピーカ１５が設けられている。
【００２１】
カード出入口１１は、ＡＴＭ１０を利用するのに必要なキャッシュカード、クレジットカードなどの各種カードを出し入れするために設けた開口である。ＡＴＭ１０の筐体内部には、カード出入口１１に連通してカードリーダ２３（図３）が設けられている。また、通帳出入口１２は、銀行の預金通帳や郵便局の貯金通帳を出し入れするために設けた開口である。ＡＴＭ１０の筐体内部には、通帳出入口１２に連通して通帳リーダ／プリンタ２４（図３）が設けられている。また、現金出入口１３は、紙幣、硬貨などの現金を出し入れするために設けた開口である。ＡＴＭ１０の筐体内部には、現金出入口１３に連通して現金処理部２５（図３）が設けられている。
【００２２】
タッチパネル１４は、例えば液晶表示素子などのフラットパネルディスプレイやＣＲＴ（cathode ray tube）等の表示面にタッチセンサを設けて構成されている。タッチパネル１４は、ユーザへの各種メッセージなどを表示するとともに、ユーザが表示面に触れることにより、ユーザからの操作を受け付ける。すなわち、タッチパネル１４は、ユーザからの操作を受け付ける操作部１４ａとしての機能と、表示出力を行う表示部（表示手段、覗き見防止動作手段）１４ｂとしての機能とを有している。また、スピーカ（覗き見防止動作手段）１５は、各種の音声メッセージや警告音を出力するものである。
【００２３】
本実施形態のＡＴＭ１０には、ユーザがＡＴＭ１０を操作する位置とその周辺とを撮影する監視カメラ（撮影手段）１６が設けられている。そして、ＡＴＭ１０は、監視カメラ１６からの撮影画像に含まれる顔画像の数を検出し、複数の顔画像を含む場合には、覗き見されていると判断して、タッチパネル１４における表示出力を停止するものである。
【００２４】
通常、ＡＴＭ１０は、ユーザ１人で操作が行われるから、撮影画像に複数の顔画像を含む場合には、第三者によりＡＴＭ１０の表示画面を覗き見されている可能性が高いと考えられる。これに対し、本実施形態では、表示出力を停止するので、覗き見を防止できる。したがって、本実施形態では、監視カメラ１６からの撮影画像に基づいて自動的に表示出力を停止するので、ユーザに手間をかけさせること無く覗き見を防止できる。なお、監視カメラ１６は、ＡＴＭ１０の筐体から離れた場所に、ＡＴＭ１０と通信可能に設置してもよい。
【００２５】
以下、本実施形態のＡＴＭ１０の詳細について図１・図３〜図６に基づいて説明する。図３は、制御部２０を中心としたＡＴＭ１０の構成を示している。図示のように、ＡＴＭ１０は、タッチパネル１４、スピーカ１５、監視カメラ１６、制御部２０、記憶部２１、通信部２２、カードリーダ２３、通帳リーダ／プリンタ２４、および現金処理部２５を備える構成である。
【００２６】
制御部２０は、ＡＴＭ１０内における上述した各種構成の動作を統括的に制御する。制御部２０は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み込んで使用する形態であってもよいし、ハードディスクなどにインストールされたものを読み込んで使用する形態であってもよい。また、通信部２２を介して上記プログラムをダウンロードしてハードディスクなどにインストールして実行する形態なども考えられる。
【００２７】
記憶部２１は、上記したハードディスクなどの不揮発性の記憶装置によって構成されるものである。この記憶部２１に記憶される内容としては、上記した制御プログラム（顔部分を検出するプログラムと、検出した顔の数を検知するプログラムを含む）、ＯＳ（operating system）プログラム、およびその他各種プログラム、監視カメラ１６における動作設定値、撮影した画像の画像データ、入力された文字データなどが挙げられる。監視カメラ１６における動作設定値としては、装置出荷時やメンテナンス時などに設定されるホワイトバランスの値、撮影画像の明暗などを調整する際の画像処理に関する各種パラメータ値などが挙げられる。
【００２８】
通信部２２は、通信ネットワークを介してサーバと通信を行うためのものである。通信部２２は、制御部２０から受信した各種データを、通信ネットワーク上でのデータ通信に適した形式に変換した後、通信ネットワーク上に送信する。また、通信部２２は、通信ネットワーク上から受信した各種データを装置内部のデータ形式に変換した後、制御部２０に送信する。
【００２９】
カードリーダ２３は、カードに設けられた磁気テープやＩＣチップから、口座番号などの識別番号やチェックコードなどの各種情報を読み出すものである。カードリーダ２３は、読み出した情報をデジタル形式のデータに変換して、制御部２０に送信する。
【００３０】
通帳リーダ／プリンタ２４は、預金通帳や貯金通帳に設けられた磁気テープから、口座番号などの識別番号やチェックコードなどの各種情報を読み出すものである。通帳リーダ／プリンタ２４は、は、読み出した情報をデジタル形式のデータに変換して、制御部２０に送信する。また、通帳リーダ／プリンタ２４は、入金、出金、および残高の履歴情報など、通帳に記入すべき各種データを、制御部２０から受け取って印字するものである。
【００３１】
現金処理部２５は、現金の出入処理、計数処理、釣り銭処理などを行うものである。具体的には、現金処理部２５は、現金の入金を行う場合には、現金出入口１３から投入された現金の金額を計数し、計数した金額データを制御部２０に送信するとともに、投入された現金を蓄積する現金蓄積部（図示せず）に運搬する。また、現金処理部２５は、現金の出金を行う場合には、制御部２０から受信した金額データに基づく現金を上記現金蓄積部から運搬し、運搬した現金の金額を計数して、計数した金額データと受信した金額データとが一致するか否かを確認する。
【００３２】
図４は、制御部２０の詳細を示しており、具体的には、監視カメラ１６からの撮影画像に基づいて表示部１４ｂを制御する動作に関する構成を示している。図示のように、制御部２０は、顔検出部（顔画像検出手段）３０、顔数特定部（顔画像計数手段）３１、および動作制御部（覗き見防止動作手段）３２を備えている。
【００３３】
顔検出部３０は、監視カメラ１６から受信した撮影画像データに基づいて、撮影画像の中から人間の顔と推定される部分を検出するものである。また、顔数特定部３１は、顔検出部３０が検出した、顔と推定される部分から、顔の数を特定するものである。これら顔の検出や顔数の特定は、肌色領域を検出したり、顔の輪郭を検出したり、顔の特徴点を検出したりするなど、公知の顔認識技術を利用することができる。
【００３４】
動作制御部３２は、顔数特定部３１が特定した顔数に基づいて、表示部１４ｂの動作を制御するものである。具体的には、動作制御部３２は、顔数が１つである場合には、表示部１４ｂに表示出力を行うように制御する一方、顔数が複数である場合には、表示部１４ｂに表示出力を停止するように制御する。
【００３５】
図１は、上記構成のＡＴＭ１０における処理動作を示している。図示のように、まず、所定時間待機した後（ステップＳ１０。以下、単に「Ｓ１０」と記載することがある。他のステップについても同様である。）、監視カメラ１６が撮影を行う（Ｓ１１）。次に、監視カメラ１６が撮影した撮影画像から、顔検出部３０が顔を検出する（Ｓ１２）。
【００３６】
次に顔検出部３０が検出した顔の数を、顔数特定部３１が特定し、顔数が１つおよび２つ以上の何れであるかを判断する（Ｓ１３）。顔数が１つである場合、動作制御部３２は、他人に覗き見されていないと判断して、表示を行うように表示部１４ｂを制御する（Ｓ１４）。その後、ステップＳ１０に戻って、上記動作を繰り返す。
【００３７】
一方、顔数が２つ以上である場合、動作制御部３２は、他人に覗き見されていると判断して、表示を停止するように表示部１４ｂを制御する（Ｓ１５）。その後、ステップＳ１０に戻って、上記動作を繰り返す。
【００３８】
図５は、上記構成のＡＴＭ１０において、ＡＴＭ１０を操作する位置とその周辺にユーザ１人のみが存在する場合を示している。同図（ａ）はＡＴＭ１０およびユーザＵの概要を示しており、同図（ｂ）は撮影画像Ｐを示している。この場合、監視カメラ１６が撮影した撮影画像Ｐには、同図（ｂ）に示されるように、ユーザＵの顔画像Ａのみが含まれる。このとき、ＡＴＭ１０は、同図（ａ）に示されるように、タッチパネル１４において通常の表示が行われる。
【００３９】
一方、図６は、上記構成のＡＴＭ１０において、ＡＴＭ１０を操作する位置とその周辺にユーザと第三者とが存在する場合を示している。同図（ａ）はＡＴＭ１０、ユーザＵ、および第三者Ｓの概要を示しており、同図（ｂ）は撮影画像Ｐを示している。この場合、監視カメラ１６が撮影した撮影画像Ｐには、同図（ｂ）に示されるように、ユーザＵの顔画像Ａと、第三者Ｓの顔画像Ｂとが含まれる。このとき、ＡＴＭ１０は、同図（ａ）に示されるように、タッチパネル１４において表示が停止される。
【００４０】
以上のように、本実施形態のＡＴＭ１０は、監視カメラ１６からの撮影画像に複数の顔画像を含む場合に、表示出力を自動的に停止するので、ユーザに手間をかけさせること無く覗き見を防止できる。また、タッチパネル１４の表示部１４ｂに覗き見防止機能を有する光学フィルタを設ける必要がないので、表示部１４ｂの視認性が維持できるとともに、表示画面の寸法に依存してコストが増大することがない。また、第三者がユーザの背後から覗き見している場合でも、撮影画像に第三者の顔画像が含まれるので、覗き見を防止できる。
【００４１】
なお、本実施形態では、監視カメラ１６は、ユーザがＡＴＭ１０を操作する位置とその周辺とを撮影しているが、撮影領域を広げれば、より広い角度からの覗き見を防止できるので好ましい。一方で、タッチパネル１４の表示部１４ｂが表示する表示情報を視認可能な領域の少なくとも一部のみが撮影可能であっても、該一部の領域からの覗き見を防止できるので本発明の効果を奏する。
【００４２】
〔実施の形態２〕
本発明の別の実施形態について図７〜図９に基づいて説明すれば、以下のとおりである。本実施形態のＰＣは、ＰＣの操作部を操作する位置およびその周囲を撮影する監視カメラを備えている。そして、ＰＣは、監視カメラからの撮影画像に含まれる顔の数を検出し、複数の顔を含む場合に、予め登録された顔情報と照合を行い、一致すると、スピーカから警告音を発するものである。
【００４３】
ところで、コンピュータシステムやネットワークシステムでは、セキュリティの観点から、ユーザごとにファイルやディレクトリへのアクセス権を設定し、重要なファイルやデータへのアクセスを禁止することがある。しかしながら、或るユーザがアクセスの許可されたファイルをＰＣ端末で閲覧しているときに、上記ファイルへのアクセスが禁止された別のユーザが上記ＰＣ端末を覗き見できるような状況では、情報の漏洩を招くことになり、セキュリティの観点から好ましくない。
【００４４】
これに対し、本実施形態では、上記アクセスが禁止されたユーザの顔情報を予め登録しておくことにより、アクセスが禁止されたユーザの顔が撮影されるとスピーカから警告音を発するので、上記アクセスが許可されたユーザに覗き見の注意を喚起でき、情報の漏洩を防止することができる。
【００４５】
以下、本実施形態のＰＣの構成および処理動作について図７〜図９に基づいて説明する。なお、上記実施形態で説明した構成および処理動作と同様の構成および処理動作には、同一の符号を付して、その説明を省略する。
【００４６】
図７は、本実施形態のＰＣ（表示装置、電子機器）４０の概略構成を示している。図示のように、ＰＣ４０は、スピーカ１５、監視カメラ１６、制御部２０、記憶部２１、通信部２２、操作部４１、および表示部（表示手段、覗き見防止動作手段）４２を備える構成である。
【００４７】
操作部４１は、ユーザから各種の入力を受け付けるものであり、入力用ボタン、キーボード、テンキー、マウスなどのポインティングデバイス、タッチパネル、その他の入力デバイスによって構成されている。操作部４１は、ユーザが操作した情報を操作データに変換して制御部２０に送信する。
【００４８】
表示部４２は、ＣＲＴ（陰極線管）、ＬＣＤ（液晶表示素子）、プラズマディスプレイなどの表示デバイスによって構成されている。表示部４２は、制御部２０から受信した表示データに基づいて、文字や画像などの各種の情報を表示出力する。
【００４９】
図８は、制御部２０および記憶部２１の詳細を示しており、具体的には、監視カメラ１６からの撮影画像に基づいてスピーカ１５を制御する動作に関する構成を示している。図示のように、制御部２０は、顔検出部３０、顔数特定部３１、顔照合部（顔画像照合手段）４３、および動作制御部（覗き見防止動作手段）４４を備えている。また、記憶部２１は、登録された顔の特徴情報を含む１または複数の顔特徴データ４５を記憶している。
【００５０】
顔照合部４３は、顔数特定部３１が特定した顔数が複数（２つ以上）である場合に、公知の顔認証技術を用いて顔の特徴情報を抽出し、抽出した特徴情報と、記憶部２１に記憶された顔特徴データ４５とを照合するものである。顔照合部４３は、照合結果を動作制御部４４に送信する。なお、顔認証技術としては、種々のものが知られており、例えば、固有顔法、ＬＦＡ（Local Feature Analysis）法、グラフマッチング法、ニューラルネットワーク法、制約相互部分空間法、摂動空間法、および周波数解析法が挙げられる。
【００５１】
動作制御部４４は、顔照合部４３の照合結果に基づいて、スピーカ１５の動作を制御するものである。具体的には、動作制御部４４は、検出した顔の特徴情報の何れかが、記憶部２１に記憶された顔特徴データ４５と一致すると顔照合部４３が判断した場合には、スピーカ１５に警告音を出力するように制御する。
【００５２】
図９は、上記構成のＰＣ４０における処理動作を示している。なお、本実施形態における処理動作は、図１に示される処理動作と比べて、顔検出部３０が検出した顔の数を、顔数特定部３１が特定するまでの処理動作（Ｓ１０〜Ｓ１３）が同じであるので、その説明を省略する。
【００５３】
図示のように、ステップＳ１３において、検出した顔数が１つである場合、他人に覗き見されていないと判断して、ステップＳ１０に戻って、上記動作を繰り返す。一方、ステップＳ１３において、検出した顔数が２つ以上である場合、顔照合部４３は、検出した顔の特徴情報を抽出し、抽出した顔の特徴情報の中から、予め登録された顔の特徴情報を検出したか否かを判断する（Ｓ２０）。登録された顔の特徴情報を検出しなかった場合には、覗き見しているユーザは、ファイルへのアクセスを許可されたユーザであると判断して、ステップＳ１０に戻り、上記動作を繰り返す。一方、登録された顔の特徴情報を検出した場合には、覗き見しているユーザは、ファイルへのアクセスが禁止されたユーザであると判断して、スピーカ１５から警告音を出力する（Ｓ２１）。その後、ステップＳ１０に戻って、上記動作を繰り返す。
【００５４】
〔実施の形態３〕
本発明のさらに別の実施形態について図１０〜図１４に基づいて説明すれば、以下のとおりである。なお、上記実施形態で説明した構成および処理動作と同様の構成および処理動作には、同一の符号を付して、その説明を省略する。
【００５５】
図１０は、本実施形態である携帯電話機の概要を示している。図示のように、携帯電話機（表示装置、電子機器）５０は、主面側に操作部４１、表示部４２、および撮影部５１が設けられている。撮影部５１は、ユーザが表示部４２を見る位置とその周辺とを撮影するものである。
【００５６】
本実施形態の携帯電話機５０は、撮影部５１からの撮影画像に含まれる顔の数を検出し、複数の顔を含む場合に、予め登録された顔情報と照合を行い、一致しないものが存在するときに、覗き見防止のための所定の表示動作を行うものである。
【００５７】
例えば、家族や友人など、携帯電話機５０の表示部４２に表示される情報を見ても良い人の顔情報を予め登録しておく。そして、携帯電話機５０は、撮影部５１からの撮影画像に含まれる顔の数を検出し、複数の顔を含む場合であって、登録されていない顔を含む場合には、見ても良い人以外の人が覗き見していると判断して、覗き見防止のための所定の表示動作を行う。これにより、見ても良い人以外の人が覗き見ることを防止できる。
【００５８】
以下、本実施形態の携帯電話機５０の構成および処理動作について図１１〜図１４に基づいて説明する。図１１は、本実施形態の携帯電話機５０の概略構成を示している。図示のように、携帯電話機５０は、制御部２０、記憶部２１、操作部４１、表示部４２、撮影部５１、音声出力部５２、音声入力部５３、および通信部５４を備える構成である。
【００５９】
撮影部５１は、上述のように、ユーザが表示部４２を見る位置とその周辺とを撮影するものである。撮影部５１は、内部に例えばレンズ群、絞り、撮像素子などを備えたデジタルカメラを搭載している。撮像素子の例としては、ＣＣＤ（charge coupled device）、およびＣＭＯＳ（Complementary Metal-oxide Semiconductor）イメージセンサが挙げられる。撮影部５１は、撮影画像データを制御部２０に送信する。
【００６０】
音声出力部５２は、制御部２０からの音声データを音波に変換して外部に出力するものである。具体的には、音声出力部５２は、Ｄ／Ａ変換器、スピーカ、イヤホンなどを備える。
【００６１】
音声入力部５３は、外部から入力された音波を音声データに変換して制御部２０に送信するものである。具体的には、音声入力部５３は、マイクロホン、Ａ／Ｄ変換器などを備える。
【００６２】
通信部５４は、携帯電話システムにおける基地局と無線通信を行うものである。すなわち、通信部５４は、制御部２０からの通信データを無線通信に適した形式に変換して電波を基地局に送り出す。また、通信部５４は、基地局から受け取った電波を通信データに変換して、制御部２０に送信する。
【００６３】
図１２は、制御部２０および記憶部２１の詳細を示しており、具体的には、撮影部５１からの撮影画像に基づいて表示部４２を制御する動作に関する構成を示している。図示のように、制御部２０は、顔検出部３０、顔数特定部３１、顔照合部４３、および動作制御部（覗き見防止動作手段）５５を備えている。また、記憶部２１は、上述の顔特徴データ４５を記憶している。
【００６４】
動作制御部５５は、顔照合部４３の照合結果に基づいて、表示部４２の動作を制御するものである。具体的には、動作制御部５５は、検出した顔の特徴情報の少なくとも１つが、記憶部２１に記憶された顔特徴データ４５と一致しないと顔照合部４３が判断した場合には、覗き見防止のための所定の表示動作を表示部４２が行うように制御する。
【００６５】
図１３（ａ）〜（ｃ）は、覗き見防止のための表示例を示している。同図（ａ）は、図６（ａ）と同様に、表示部４２の表示を停止した状態を示している。この状態にするには、表示部４２への給電を停止したり、ＬＣＤの場合には、バックライトを消灯したりすればよい。また、同図（ｂ）は、待ち受け画像など、他人に覗き見されても良い所定の画像を表示部４２に表示した状態を示している。
【００６６】
そして、同図（ｃ）は、画面の所定位置に、他人が覗き見していることユーザに報せる報知情報を表示部４２に表示した状態を示しており、図示の例では、画面の右下隅に「Ｗｈｏ？」と表示した状態を示している。なお、報知情報を画面全体に表示しても良い。また、報知情報には、文字情報、記号情報、図形情報などが含まれる。また、報知情報の表示は、ユーザが一目見て認識できるような目立つ表示でもよいし、覗き見している他人に分かり難いような目立たない表示でも良い。
【００６７】
覗き見防止のための所定の表示動作に関するその他の例としては、表示部４２に、視野角を電気的に変更できるフィルタを設け、他人に覗き見されているときに視野角を狭くすることが挙げられる。以上のように、覗き見防止のための表示動作としては種々のものが考えられる。
【００６８】
さらに、携帯電話機５０がバイブレータを備える場合には、バイブレータを振動させることにより、覗き見されていることをユーザに報知しても良い。表示と音とを組み合わせることにより、覗き見されていることをユーザに迅速に報知することができる。
【００６９】
図１４は、上記構成の携帯電話機５０における処理動作を示している。なお、本実施形態における処理動作は、図１に示される処理動作と比べて、顔検出部３０が検出した顔の数を、顔数特定部３１が特定するまでの処理動作（Ｓ１０〜Ｓ１３）が同じであるので、その説明を省略する。
【００７０】
図示のように、ステップＳ１３において、検出した顔数が１つである場合、ステップＳ２３に進む。一方、検出した顔数が２つ以上である場合、顔照合部４３は、検出した顔の特徴情報を抽出し、抽出した顔の特徴情報の中から、登録されていない顔の特徴情報を検出したか否かを判断する（Ｓ２２）。検出しなかった場合にはステップＳ２３に進む一方、検出した場合にはステップＳ２４に進む。
【００７１】
ステップＳ２３では、他人の覗き見なしと判断して、通常の表示動作を行う。一方、ステップＳ２４では、他人の覗き見を検知したと判断して、上述のような覗き見防止のための所定の表示動作を行う。ステップＳ２３またはステップＳ２４を行った後、ステップＳ１０に戻って、上記動作を繰り返す。
【００７２】
なお、本実施形態では、撮影部５１は、ユーザが表示部４２を見る位置とその周辺とを撮影しているが、撮影領域を広げれば、より広い角度からの覗き見を防止できるので好ましい。一方で、表示部４２が表示する表示情報を視認可能な領域の少なくとも一部のみが撮影可能であっても、該一部の領域からの覗き見を防止できるので本発明の効果を奏する。
【００７３】
〔実施の形態４〕
本発明の他の実施形態について図１５に基づいて説明すれば、以下のとおりである。本実施形態のＡＴＭ１０は、図１〜図６に示されるＡＴＭ１０に比べて、監視カメラ１６からの撮影画像に基づいて表示部１４ｂを制御する処理動作に、新たな処理動作が追加されている点が異なり、その他の構成は同様である。なお、上記実施形態で説明した構成および処理動作と同様の構成および処理動作には、同一の符号を付して、その説明を省略する。
【００７４】
図１５は、上記構成の携帯電話機５０における処理動作を示している。なお、本実施形態における処理動作は、図１に示される処理動作と比べて、ステップＳ１３において、検出した顔数が２つ以上である場合に新たな処理動作が追加されている点が異なり、その他の処理動作は同様である。
【００７５】
ステップＳ１３において、検出した顔数が２つ以上である場合、顔数特定部３１は、新たに検出した顔の大きさ（寸法）が所定サイズ以上であるか否かを判断する（Ｓ２５）。ここで、所定サイズとは、通常、タッチパネル１４の表示情報を視認できる限界に位置する第三者Ｓを、監視カメラ１６が撮影した場合における上記第三者の顔のサイズである。なお、所定サイズの具体的な数値は、タッチパネル１４の表示情報を認識できる限界の領域、該領域に位置する第三者Ｓと監視カメラ１６との距離、監視カメラ１６の撮影範囲および解像度などによって変化する。
【００７６】
ステップＳ２５において、所定サイズ未満である場合、動作制御部３２は、監視カメラ１６で撮影された第三者Ｓがタッチパネル１４の表示情報を視認できないと判断して、検出した顔数が１つである場合と同様に、表示を行うように表示部１４ｂを制御する（Ｓ１４）。その後、ステップＳ１０に戻って、上記動作を繰り返す。
【００７７】
一方、ステップＳ２５において、所定サイズ以上である場合には、動作制御部３２は、第三者Ｓがタッチパネル１４の表示情報を視認できると判断して、表示を停止するように表示部１４ｂを制御する（Ｓ１５）。その後、ステップＳ１０に戻って、上記動作を繰り返す。
【００７８】
したがって、本実施形態のＡＴＭ１０は、覗き見できないような領域に位置する人が覗き見していると誤判断して表示を停止することを防止できる。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８０】
例えば、顔数特定部３１は、撮影画像における所定領域以外の領域にある顔画像を計数から除外してもよい。ここで、所定領域の例としては、ユーザの斜め後方の領域など、覗き見する可能性の高い領域が挙げられる。この場合、例えば覗き見する可能性の低い領域の顔画像を計数から除外できるので、覗き見を防止する動作を適切に行うことができる。
【００８１】
また、顔検出部３０は、検出した顔画像における顔の向きをさらに検出しており、顔数特定部３１は、表示部１４ｂ・４２の方向を向いていない顔画像を計数から除外してもよい。表示部１４ｂ・４２の方向を向いていない人は、表示部１４ｂ・４２を覗き見している可能性が低い。したがって、この場合、覗き見している可能性の低い顔画像を計数から除外できるので、覗き見を防止する動作を適切に行うことができる。
【００８２】
また、上記実施形態では、動作制御部３２・４４・５５は、覗き見を防止するための制御を行っているが、操作ボタンをロックするなどして、第三者に見られても問題の無い特定の機能のみを使用できるようにしてもよい。
【００８３】
また、ＡＴＭ１０、ＰＣ４０、および携帯電話機５０における制御部２０の各ブロックは、ハードウェアロジックによって構成してもよいし、次のようにＣＰＵを用いてソフトウェアによって実現してもよい。
【００８４】
すなわち、制御部２０は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである制御部２０の制御プログラムのプログラムコード（実行形式プログラム、中間コードプログラム、ソースプログラム）をコンピュータで読み取り可能に記録した記録媒体を、上記制御部２０に供給し、そのコンピュータ（またはＣＰＵやＭＰＵ）が記録媒体に記録されているプログラムコードを読み出し実行することによっても、達成可能である。
【００８５】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８６】
また、制御部２０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【産業上の利用可能性】
【００８７】
以上のように、本発明に係る表示装置は、撮影画像の中から顔画像を検出し、検出した顔画像が複数である場合に、表示情報の覗き見を防止する動作を行うので、ＡＴＭ、ＰＣ、携帯電話機以外にも、表示情報を覗き見される可能性のある任意の電子機器に適用することができる。
【図面の簡単な説明】
【００８８】
【図１】本発明の一実施形態であるＡＴＭにおける処理の流れを示すフローチャートである。
【図２】上記ＡＴＭの外観を示す斜視図である。
【図３】上記ＡＴＭの概略構成を示すブロック図である。
【図４】上記ＡＴＭにおいて、監視カメラからの撮影画像に基づいて表示部を制御する動作に関する構成を示すブロック図である。
【図５】上記ＡＴＭにおいて、ＡＴＭを操作する位置とその周辺にユーザ１人のみが存在する状態を示しており、同図（ａ）はＡＴＭおよびユーザの概要を示す斜視図であり、同図（ｂ）は撮影画像を示す図である。
【図６】上記ＡＴＭにおいて、ＡＴＭを操作する位置とその周辺にユーザと第三者とが存在する状態を示しており、同図（ａ）はＡＴＭ、ユーザ、および第三者の概要を示す斜視図であり、同図（ｂ）は撮影画像を示す図である。
【図７】本発明の別の実施形態であるＰＣの概略構成を示すブロック図である。
【図８】上記ＰＣにおいて、監視カメラからの撮影画像に基づいてスピーカを制御する動作に関する構成を示すブロック図である。
【図９】上記ＰＣにおける処理の流れを示すフローチャートである。
【図１０】本発明のさらに別の実施形態である携帯電話機の外観を示す正面図である。
【図１１】上記携帯電話機の概略構成を示すブロック図である。
【図１２】上記携帯電話機において、撮影部からの撮影画像に基づいて表示部を制御する動作に関する構成を示すブロック図である。
【図１３】同図（ａ）〜（ｃ）は、図１０の要部を示す図であり、覗き見防止のための表示例を示している。
【図１４】上記携帯電話機における処理の流れを示すフローチャートである。
【図１５】本発明の他の実施形態であるＡＴＭにおける処理の流れを示すフローチャートである。
【符号の説明】
【００８９】
１０    ＡＴＭ（表示装置、電子機器）
１４ｂ・４２    表示部（表示手段、覗き見防止動作手段）
１５    スピーカ（覗き見防止動作手段）
１６    監視カメラ（撮影手段）
３０    顔検出部（顔画像検出手段）
３１    顔数特定部（顔画像計数手段）
３２・４４・５５    動作制御部（覗き見防止動作手段）
４０    ＰＣ（表示装置、電子機器）
４３    顔照合部（顔画像照合手段）
４５    顔特徴データ
５０    携帯電話機（表示装置、電子機器）
【図１】
2006259930.tif 000003
【図２】
2006259930.tif 000004
【図３】
2006259930.tif 000005
【図４】
2006259930.tif 000006
【図５】
2006259930.tif 000007
【図６】
2006259930.tif 000008
【図７】
2006259930.tif 000009
【図８】
2006259930.tif 000010
【図９】
2006259930.tif 000011
【図１０】
2006259930.tif 000012
【図１１】
2006259930.tif 000013
【図１２】
2006259930.tif 000014
【図１３】
2006259930.tif 000015
【図１４】
2006259930.tif 000016
【図１５】
2006259930.tif 000017